(57)【特許請求の範囲】
【請求項１】
作業を行う作業者が使用する端末装置であって、物品に付されている識別子、物品を積載するパレットに付されている識別子、および倉庫内の各区画に付された識別子を読み取る機能を備えた端末装置と、倉庫に保管される物品の状態を管理する倉庫管理装置とを備えた倉庫管理システムであって、
前記倉庫管理装置は、
倉庫に保管される物品の積載に用いられるパレットを運搬するための作業の内容を示す作業情報を、前記端末装置に向けて送信する作業情報送信手段と、
前記作業情報に従って行われた作業の状態を示す作業状態情報を前記端末装置から取得する作業状態情報取得手段と、
入庫される物品の物品情報と当該物品が積載されるパレットを示すパレット情報とを関連付けた物品状態情報を記憶する在庫管理データベースと、
入庫される物品をパレットに積載する作業の状態を示す作業状態情報にもとづいて、前記物品状態情報を作成する物品状態情報作成手段とを含み、
前記物品状態情報は、倉庫内における物品の入庫から出庫までのパレットの状態を示すパレット状態情報を含み、
前記作業状態情報取得手段が前記端末装置から作業状態情報を取得すると、前記パレット状態情報の内容を変更するパレット状態情報変更手段を備え、
前記作業情報送信手段は、物品が入荷した場合に、物品を積載するパレットを指示する積載情報作成指示情報を作成して送信し、
作業状態情報取得手段は、前記端末装置が物品に付されている識別子および物品を積載するパレットに付されている識別子にもとづくパレットを示す情報とパレットに積載された物品を示す情報とを有する積載情報を送信した場合にその積載情報を受信し、
前記物品状態情報作成手段は、前記作業状態情報取得手段が受信した前記積載情報の内容が前記積載情報作成指示情報の内容に合致していたら前記物品状態情報を作成して前記在庫管理データベースに格納し、
前記端末装置は、パレットと区画とから読み取った識別子またはパレットと物品とから読み取った識別子と、前記倉庫管理装置から受信した前記作業情報とを照合して一致した場合に前記作業状態情報を前記倉庫管理装置に送信する手段を含む
ことを特徴とする倉庫管理システム。
【請求項２】
パレット状態情報変更手段は、倉庫内に区分けして設けられている所定の保管場所に保管されている物品が積載されたパレットを当該物品を出庫するために移動させる作業を開始したことを示す作業状態情報にもとづいて、パレット状態情報の内容を変更する
請求項１記載の倉庫管理システム。
【請求項３】
パレット状態情報変更手段は、倉庫内に区分けして設けられている所定の保管場所に保管されている物品が積載されたパレットが、当該物品を出庫するための仕分け場所に到達したことを示す作業状態情報にもとづいて、パレット状態情報の内容を変更する
請求項１または請求項２記載の倉庫管理システム。
【請求項４】
パレット状態情報変更手段は、倉庫内に区分けして設けられている所定の保管場所に保管されているパレットに積載されている物品が出庫用のパレットに移し替えられたことを示す作業状態情報にもとづいて、前記出庫用のパレットに積載物品を移し替えられたパレットの状態を示すパレット状態情報の内容を変更する
請求項１から請求項３のうちいずれかに記載の倉庫管理システム。
【請求項５】
パレット状態情報変更手段は、出庫される物品が積載された出庫用のパレットが出庫される物品を配送する車両に積載される出庫場所に到達したことを示す作業状態情報にもとづいて、前記出庫用のパレットの状態を示すパレット状態情報の内容を変更する
請求項１から請求項４のうちいずれかに記載の倉庫管理システム。
【請求項６】
パレット状態情報変更手段は、倉庫内に区分けして設けられている所定の保管場所に保管されている物品を出庫するための仕分け場所に運搬されたパレットに積載されている物品のうち、出庫されない物品を所定の保管場所に保管するための編成替用のパレットに移し替えられたことを示す作業状態情報にもとづいて、前記編成替用のパレットに積載物品を移し替えられた前記パレットの状態を示すパレット状態情報の内容を変更する
請求項１から請求項５のうちいずれかに記載の倉庫管理システム。
【請求項７】
物品情報は、物品の種類を特定する物品特定情報を含み、
物品状態情報は、複数種類の物品の前記物品情報と、前記複数種類の物品が積載される１のパレットを示すパレット情報とが関連付けされている
請求項１から請求項６のうちいずれかに記載の倉庫管理システム。
【請求項８】
作業を行う作業者が使用する端末装置であって、物品に付されている識別子、物品を積載するパレットに付されている識別子、および倉庫内の各区画に付された識別子を読み取る機能を備えた端末装置と、倉庫に保管される物品の状態を管理する倉庫管理装置であって、入庫される物品の物品情報と当該物品が積載されるパレットを示すパレット情報とを関連付けた物品状態情報を記憶する在庫管理データベースおよび前記端末装置に情報を送信するとともに前記端末装置から情報を受信する送受信部を有する倉庫管理装置とを備えた倉庫管理システムにおける前記倉庫管理装置に搭載される倉庫管理プログラムであって、
前記倉庫管理装置におけるコンピュータに、
物品が入荷した場合に物品を積載するパレットを指示する積載情報作成指示情報を作成して前記送受信部に送信させるステップと、
前記送受信部が、前記端末装置から、物品に付されている識別子および物品を積載するパレットに付されている識別子にもとづくパレットを示す情報とパレットに積載された物品を示す情報とを有する積載情報を受信した場合に、その内容が前記積載情報作成指示情報の内容に合致していたら、前記物品状態情報を作成して前記在庫管理データベースに格納するステップと、
倉庫に保管される物品の積載に用いられるパレットを運搬するための作業の内容を示す作業情報を、前記端末装置に向けて前記送受信部に送信させるステップと、
物品が積載されたパレットを運搬する作業の状態を示す情報であって、パレットと区画とから読み取った識別子またはパレットと物品とから読み取った識別子と、前記倉庫管理装置から受信した前記作業情報とを照合して一致した場合に前記端末装置が送信する作業状態情報を前記送受信部が前記端末装置から受信すると、その作業状態情報にもとづいて、倉庫内における物品の入庫から出庫までのパレットの状態を示すパレット状態情報の内容を変更するステップと
を実行させるための倉庫管理プログラム。
【発明の詳細な説明】
【０００１】
【発明の属する技術分野】
本発明は、倉庫に保管された物品の格納位置や格納状態など倉庫の保管状態を管理する倉庫管理装置を含む倉庫管理システム、および倉庫管理装置に搭載される倉庫管理プログラムに関する。
【０００２】
【従来の技術】
従来、様々な物品を一時的に保管する倉庫における物品の保管状態を管理する倉庫管理システムが用いられている。倉庫管理システムでは、予め定められている物品情報にもとづいて倉庫に保管されている物品の格納位置、格納状態、数量などの保管状態を特定することによって、倉庫に保管されている物品の保管状態が管理されている。すなわち、保管される物品自体の状態をそれぞれ管理することによって、倉庫における物品の保管状態が管理されている。なお、物品情報には、物品コードおよび入荷日が含まれ、さらに物品の製造に関する情報を示すロット番号などの他の情報が含まれる場合もある。また、倉庫管理システムでは、倉庫に保管されている物品１つ１つを管理するのではなく、同一品種、同一入荷日、同一ロット番号の物品を複数個まとめた１つの単位（以下、「管理単位」という。）で管理するようにしている。
【０００３】
【発明が解決しようとする課題】
倉庫管理を行う際には、必ず人的操作が介在するので、操作ミスによって倉庫業務が混乱する事がある。人的操作が行われる際の操作ミスを防止するため、保管される物品の管理単位毎にバーコードラベルを貼付して、バーコードを用いて倉庫内の物品の管理を行うようにすることが考えられる。バーコードを用いて倉庫内の物品の管理を行う倉庫管理システムには、例えば特開昭５７−１５６９０６号公報に記載された自動倉庫がある。この自動倉庫によれば、バーコードを用いて倉庫内の物品の管理を行うことによって人的介在を抑制することが実現されている。
【０００４】
しかし、管理単位で各物品の保管状態を管理するので、管理単位毎に保管状態を示す情報を作成しておかなければならず、管理単位が多くなると管理効率が悪くなるという課題があった。
【０００５】
そこで、本発明は、倉庫に格納される物品の保管状態の管理を効率良く行うことができるようにすることを目的とする。
【０００６】
【課題を解決するための手段】
本発明による倉庫管理システムは、作業を行う作業者が使用する端末装置であって、物品に付されている識別子、物品を積載するパレットに付されている識別子、および倉庫内の各区画に付された識別子を読み取る機能を備えた端末装置（例えば無線通信端末３０）と、倉庫に保管される物品の状態を管理する倉庫管理装置とを備えた倉庫管理システムであって、倉庫管理装置が、倉庫に保管される物品の積載に用いられるパレットを運搬するための作業の内容を示す作業情報（例えば検品指示情報などの各種の指示をするための情報）を、端末装置に向けて送信する作業情報送信手段（例えば送受信部１５）と、作業情報に従って行われた作業の状態を示す情報であって、区画から読み取った識別子またはパレットと区画との双方から読み取った識別子と、倉庫管理装置から受信した作業情報とを照合して一致した場合に端末装置が送信する作業状態情報（例えば検品結果情報などの各種の作業結果などを示す情報）を端末装置から取得する作業状態情報取得手段（例えば送受信部１５）と、入庫される物品の物品情報と当該物品が積載されるパレットを示すパレット情報とを関連付けた物品状態情報を記憶する在庫管理データベースと、入庫される物品をパレットに積載する作業の状態を示す作業状態情報にもとづいて、物品状態情報（例えば在庫レコードとパレットレコードに含まれる情報）を作成する（例えば在庫レコードを作成することで、関連付けされた在庫レコードとパレットレコードが作成される）物品状態情報作成手段（例えば入庫処理部１２）とを含み、物品状態情報には、倉庫内における物品の入庫から出庫までのパレットの状態を示すパレット状態情報（例えばパレットレコードに含まれるパレット状態）が含まれ、作業状態情報取得手段が端末装置から作業状態情報を取得すると、パレット状態情報の内容を変更するパレット状態情報変更手段（例えば入庫処理部１２、出庫処理部１３）を備え、作業情報送信手段が、物品が入荷した場合に、物品を積載するパレットを指示する積載情報作成指示情報を作成して送信し、作業状態情報取得手段が、端末装置が物品に付されている識別子および物品を積載するパレットに付されている識別子にもとづくパレットを示す情報とパレットが積載された物品を示す情報とを有する積載情報を送信した場合にその積載情報を受信し、物品状態情報作成手段が、作業状態情報取得手段が受信した積載情報の内容が積載情報作成指示情報の内容に合致していたら物品状態情報を作成して在庫管理データベースに格納し、端末装置が、パレットと区画とから読み取った識別子またはパレットと物品とから読み取った識別子と、倉庫管理装置から受信した作業情報とを照合して一致した場合に作業状態情報を倉庫管理装置に送信する手段を含むことを特徴とする。
【０００７】
上記のように構成したことで、倉庫の保管状態の管理をパレットの状態によって行うことができ、管理点数を大幅に削減することができ、倉庫の管理効率を向上させることができる。
【００１２】
パレット状態情報変更手段が、倉庫内に区分けして設けられている所定の保管場所に保管されている物品が積載されたパレットを当該物品を出庫するために移動させる作業を開始したことを示す作業状態情報（例えばステップＳ７０８のパレット確認結果情報）にもとづいて、パレット状態情報の内容を変更（例えばステップＳ７０９）するように構成されていてもよい。
【００１３】
上記のように構成したことで、パレットを物品を出庫するために移動させる作業を開始した場合であっても、パレットの状態を作業状態に応じた状態とすることができる。
【００１４】
パレット状態情報変更手段が、倉庫内に区分けして設けられている所定の保管場所に保管されている物品が積載されたパレットが、当該物品を出庫するための仕分け場所に到達したことを示す作業状態情報（例えばステップＳ７１２の前室到達情報）にもとづいて、パレット状態情報の内容を変更（例えばステップＳ７１３）するように構成されていてもよい。
【００１５】
上記のように構成したことで、パレットが当該物品を出庫するための仕分け場所に到達した場合であっても、パレットの状態を作業状態に応じた状態とすることができる。
【００１６】
パレット状態情報変更手段が、倉庫内に区分けして設けられている所定の保管場所に保管されているパレットに積載されている物品が出庫用のパレットに移し替えられたことを示す作業状態情報（例えばステップＳ７１７のパレット合せ確認情報）にもとづいて、出庫用のパレットに積載物品を移し替えられたパレットの状態を示すパレット状態情報の内容を変更（例えばステップＳ７１８）するように構成されていてもよい。
【００１７】
上記のように構成したことで、パレットに積載されている物品が出庫用のパレットに移し替えられた場合であっても、パレットの状態を作業状態に応じた状態とすることができる。
【００１８】
パレット状態情報変更手段が、出庫される物品が積載された出庫用のパレットが出庫される物品を配送する車両に積載される出庫場所に到達したことを示す作業状態情報（例えばステップＳ７１９の出庫バース到達情報）にもとづいて、出庫用のパレットの状態を示すパレット状態情報の内容を変更（例えばステップＳ７２０）するとされていてもよい。
【００１９】
上記のように構成したことで、出庫用のパレットが出庫される物品を配送する車両に積載される出庫場所に到達した場合であっても、パレットの状態を作業状態に応じた状態とすることができる。
【００２０】
パレット状態情報変更手段が、倉庫内に区分けして設けられている所定の保管場所に保管されている物品を出庫するための仕分け場所に運搬されたパレットに積載されている物品のうち、出庫されない物品を所定の保管場所に保管するための編成替用のパレット（例えば積付パレット）に移し替えられたことを示す作業状態情報（例えばパレット編成替え確認情報）にもとづいて、編成替用のパレットに積載物品を移し替えられたパレットの状態を示すパレット状態情報の内容を変更（例えば空パレット状態に変更）するように構成されていてもよい。
【００２１】
上記のように構成したことで、仕分け場所にて編成替用のパレットに積載物品が移し替えられた場合であっても、パレットの状態を作業状態に応じた状態とすることができる。
【００２２】
物品情報は、物品の種類を特定する物品特定情報を含み、物品状態情報は、複数種類の物品の物品情報と、複数種類の物品が積載される１のパレットを示すパレット情報とが関連付けされている構成とされていてもよい。
【００２３】
上記のように構成したことで、１のパレットに複数種類の物品が積載されている場合であっても、各物品の状態をパレットの状態から確認することができる。従って、倉庫内で用いられる各パレットに複数種類の物品を積載することができるようになり、倉庫スペースの効率化を図ることができるとともに、使用されるパレット数を削減することができるようになる。
【００２４】
また、本発明による倉庫管理プログラムは、作業を行う作業者が使用する端末装置であって、物品に付されている識別子、物品を積載するパレットに付されている識別子、および倉庫内の各区画に付された識別子を読み取る機能を備えた端末装置と、倉庫に保管される物品の状態を管理する倉庫管理装置であって、入庫される物品の物品情報と当該物品が積載されるパレットを示すパレット情報とを関連付けた物品状態情報を記憶する在庫管理データベースおよび端末装置に情報を送信するとともに端末装置から情報を受信する送受信部を有する倉庫管理装置とを備えた倉庫管理システムにおける倉庫管理装置に搭載される倉庫管理プログラムであって、倉庫管理装置におけるコンピュータに、物品が入荷した場合に物品を積載するパレットを指示する積載情報作成指示情報を作成して送受信部に送信させるステップと、送受信部が、端末装置から、物品に付されている識別子および物品を積載するパレットに付されている識別子にもとづくパレットを示す情報とパレットに積載された物品を示す情報とを有する積載情報を受信した場合に、その内容が積載情報作成指示情報の内容に合致していたら、物品状態情報を作成して在庫管理データベースに格納するステップと、倉庫に保管される物品の積載に用いられるパレットを運搬するための作業の内容を示す作業情報を、端末装置に向けて送受信部に送信させるステップと、物品が積載されたパレットを運搬する作業の状態を示す情報であって、パレットと区画とから読み取った識別子またはパレットと物品とから読み取った識別子と、倉庫管理装置から受信した作業情報とを照合して一致した場合に端末装置が送信する作業状態情報を送受信部が端末装置から受信すると、その作業状態情報にもとづいて、倉庫内における物品の入庫から出庫までのパレットの状態を示すパレット状態情報の内容を変更するステップとを実行させるものである。
【００２５】
上記のように構成したことで、倉庫の保管状態の管理をパレットの状態によって行うことができ、管理点数を大幅に削減することができ、倉庫の管理効率を向上させることができる。
【００２６】
【発明の実施の形態】
以下、本発明の一実施の形態を図面を参照して説明する。
図１は、本例の倉庫管理システム１０の構成例を示すブロック図である。倉庫管理システム１０は、倉庫管理装置２０と、無線通信端末３０とを含む。なお、図１では無線通信端末を１つ示しているが、無線通信端末はいくつ設けられていてもよい。
【００２７】
倉庫管理装置２０は、入出荷情報受付部１１と、入庫処理部１２と、出庫処理部１３と、データベース１４と、送受信部１５と、アンテナ１６とを含む。倉庫管理装置２０は、送受信部１５およびアンテナ１６を用いて、無線通信端末３０との間で、無線通信によって各種の情報を送受する機能を有する。
【００２８】
入出荷情報受付部１１は、物品の荷主からの入荷予定情報や、倉庫に格納されている物品の取得を希望する注文主からの出荷予定情報を受け付ける機能を有する。入荷予定情報は、荷主名、入荷される各物品の名称、その各物品の個数を含む。また、出荷予定情報は、注文主名、出荷される各物品の名称、その各物品の個数を含む。なお、本例では、「物品」という場合には、１個の物品を意味する場合と、管理単位としての１単位の物品を意味する場合とがある。従って、「物品の個数」という場合には、物品の管理単位数を意味することがある。
【００２９】
入荷予定情報および出荷予定情報は、例えば、荷主や注文主がパーソナルコンピュータや携帯電話端末などを用いて送信した情報が、通信回線（無線回線であっても有線回線であってもよい）を介して受信され、入出荷情報受付部１１に入力される。また、例えば、ファクシミリや電話によって荷主や注文主から情報を収集した作業員が、倉庫管理装置２０に備えられている図示しない入力装置（例えばキーボード、マウス）を用いて入出荷情報受付部１１に入力することによって、入荷予定情報や出荷予定情報が入出荷情報受付部１１に入力されるようにしてもよい。
【００３０】
入庫処理部１２は、入出荷情報受付部１１が受け付けた入荷予定情報や、無線通信端末３０からの入庫に関する作業状態情報にもとづいて、倉庫の管理情報の作成や変更などの入庫処理を行う。出庫処理部１３は、入出荷情報受付部１１が受け付けた出荷予定情報や、無線通信端末３０からの出庫に関する作業状態情報にもとづいて、倉庫の管理情報を変更する出庫処理を行う。データベース１４は、各種の情報を記憶保持する大容量の記憶媒体によって構成され、本例では、倉庫に保管されている物品の状態を示す情報が格納される在庫管理データベース１４ａと、倉庫内の空スペース（空区画）に関する情報が格納される空間管理データベース１４ｂとを含む。
【００３１】
無線通信端末３０は、例えば携帯電話端末などの無線通信機能を有する装置によって構成される。なお、無線通信端末３０は、例えば基地局を介さずに倉庫管理装置２０と直接データ通信を行う機能を備える装置であってもよい。無線通信端末３０は、本例では複数個用意され、例えば倉庫内の作業を行う各作業者それぞれに割り当てられる。なお、各無線通信端末３０は、倉庫管理のために用いられるフォークリフト車にそれぞれ備えられる構成としてもよい。
【００３２】
また、無線通信端末３０には、例えば液晶表示装置などによって構成される画面表示部３１と、バーコードの読み取りを行うバーコードリーダ３２と、各種の情報を出力するためのプリンタ３３とが接続されている。
【００３３】
図２は、倉庫に保管される物品と、物品の運搬などに用いられるパレットの状態を示す説明図である。図２に示すように、物品４１，４２およびパレット５１には、それぞれバーコードラベル４１ａ，４２ａ，５１ａが付されている。バーコードラベル４１ａ，４２ａに記されているバーコードが示す情報には、例えば、バーコードが付されている物品４１，４２の荷主名、物品４１，４２の物品コード、および物品４１，４２の個数を示す情報が含まれる。また、バーコードラベル５１ａに記されているバーコードが示す情報には、例えば、バーコードが付されているパレット５１のパレット名（例えば各パレットを識別できるように付されている識別番号）が含まれる。
【００３４】
本例の倉庫管理システム１０は、例えば図３に示すように、在庫レコード６１と、パレットレコード６２とを用いて倉庫管理を行う。在庫レコード６１は、物品コードと、パレット名と、入荷日と、ロット番号と、数量とを示すそれぞれの情報を含む。また、パレットレコード６２は、パレット名と、ロケーション（倉庫内の保管場所の位置情報）と、パレット状態（パレット名で特定されるパレットの現在の状態）とを示すそれぞれの情報を含む。本例では、在庫レコードとパレットレコードとの組み合わせによって各物品の状態を管理する。対応する在庫レコードとパレットレコードには、それぞれ同一のパレット名を示す情報が含まれている。なお、在庫レコードは物品の管理単位毎に設けられ、パレットレコードはパレット毎に設けられる。従って、１つのパレットに複数の管理単位の物品が積載される場合には、その物品に関する複数の在庫レコードそれぞれに１つのパレットレコードが関連付けされていることになる。
【００３５】
図４は、物品が倉庫に入荷されてから出荷されるまでのパレットの各種の状態を示す説明図である。図４に示すように、パレット状態には、入荷される物品を倉庫に配送するトラックに積載された状態（状態▲１▼）、倉庫に到着したトラックから入庫バースに下ろされた状態（状態▲２▼）、入庫バースから保管場所に向けてフォークリフトで運搬されている状態（状態▲３▼）、倉庫内の保管場所に保管されている状態（状態▲４▼）、保管場所から出庫バースの前室に向けてフォークリフトで運搬されている状態（状態▲５▼）、出庫バースの前室で仕分け作業が行われている状態（状態▲６▼）、出庫バース前で荷揃えが行われている状態（状態▲７▼）、倉庫から出荷された物品を配送先まで届けるトラックに積載された状態（状態▲８▼）がある。
【００３６】
次に、入荷した物品を倉庫に入庫する際に本例の倉庫管理システム１０が実行する入庫処理について図５および図６を参照して説明する。図５は、本例の倉庫管理システム１０における入庫処理の一例を示すフローチャートである。図６は、本例の倉庫管理システム１０における入庫処理の際に無線通信端末３０の画面表示部３１に表示される表示内容の一例を示す説明図である。
【００３７】
入庫処理において、倉庫管理装置２０は、入出荷情報受付部１１にて入荷予定情報を受け付けると（ステップＳ５０１）、受け付けた入荷予定情報にもとづいて入庫処理部１２にて検品指示情報を作成し、送受信部１５およびアンテナ１６を介して、作成した検品指示情報を無線通信端末３０に向けて送信する（ステップＳ５０２）。検品指示情報は、入荷予定の物品やその数量を示す情報、入荷する物品が下ろされる入庫バースの位置を示す情報などの情報を含む。送信先の無線通信端末３０は、入庫作業を行う者として予め定められている作業者（以下、作業者Ｘという）が使用する端末装置である。
【００３８】
無線通信端末３０は、検品指示情報を受信すると、検品指示情報にもとづく指示内容を示す検品指示画面を画面表示部３１に表示する（ステップＳ５０３）。検品指示画面は、例えば図６（Ａ）に示すように、入荷する各物品の品名や、各物品の入荷数量などを表示する表示領域を含む。なお、検品指示画面に、入庫バースの情報を表示する表示領域が含まれていてもよい。
【００３９】
倉庫の入庫バースまで運搬されてきた物品は、運搬してきたトラックから下ろされ、入庫バースに並べられる。
【００４０】
作業者Ｘは、画面表示部３１に表示された検品指示画面に表示された検品指示に従って、入庫バースに並べられている入荷した物品に付されているバーコードを、バーコードリーダ３２で読み取る検品作業を行う。無線通信端末３０は、バーコードリーダ３２で読み取った、入荷した物品に付されているバーコードによって特定される物品情報を取得する（ステップＳ５０４）。
【００４１】
入荷された物品の物品情報を取得すると、無線通信端末３０は、取得した物品情報と検品指示情報とを順次照合して、入荷予定情報と実際に入荷されている物品とが一致しているか否かを確認する検品処理を行う（ステップＳ５０５）。検品処理によって、全ての入荷予定物品の入荷が確認された場合には、無線通信端末３０は、検品が完了したことを示す検品結果情報を、倉庫管理装置２０に向けて送信する（ステップＳ５０６）。なお、検品処理の結果、入荷が確認されない物品が存在するなどの不具合があった場合には、例えば、処理を中断して作業者Ｘが荷主に確認をとり、再度の入荷を依頼したり入荷を中止したりするなどの適切な措置を講ずるようにすればよい。
【００４２】
倉庫管理装置２０は、検品結果情報を受信し、入荷予定物品が予定通り入荷されていることを確認すると、積載情報作成指示を行うための積載情報作成指示情報を送信する（ステップＳ５０７）。
【００４３】
無線通信端末３０は、積載情報作成指示情報を受信すると、積載情報作成指示情報にもとづく指示内容を示す積載情報作成指示画面を画面表示部３１に表示する（ステップＳ５０８）。積載情報作成指示画面は、例えば図６（Ｂ）に示すように、物品を積載するパレットのパレット名、そのパレットに積載する物品およびその数量などを表示する表示領域を含む。
【００４４】
作業者Ｘは、画面表示部３１に表示された積載情報作成指示画面に表示された積載情報作成指示に従って、パレットに物品を積載し、そのパレットに付されているバーコードをバーコードリーダ３２で読み取るとともに、パレットに積載した物品に付されているバーコードを順次読み取る積載情報作成作業を行う。無線通信端末３０は、バーコードリーダ３２で読み取ったパレットに付されているバーコードが示す情報と、バーコードリーダ３２で読み取った物品に付されているバーコードが示す情報とにもとづいて、物品を積載するパレットのパレット名およびそのパレットに積載される物品およびその数量に関する情報を取得する。次いで、無線通信端末３０は、取得したパレット名などの情報にもとづいて、どのパレットにどの物品を何個積載するのかを示す積載情報を作成する（ステップＳ５０９）。そして、無線通信端末３０は、作成した積載情報を倉庫管理装置２０に向けて送信する（ステップＳ５１０）。
【００４５】
倉庫管理装置２０は、積載情報を受信すると、積載情報作成指示の内容（ステップＳ５０８で画面上に表示された指示内容）の通りに積載情報が作成されているか否か（つまり、指示通りに物品が積載されているか否か）を確認する。指示内容の通りに積載情報が作成されていれば、倉庫管理装置２０は、積載された物品を、物品を積載しているパレットと関連付けるための在庫レコード６１を作成する（ステップＳ５１１）。在庫レコードには、積載情報にもとづいて、パレットに積載された物品の物品コード、積載したパレットのパレット名、入荷日、数量などの情報が記憶される。そして、倉庫管理装置２０は、作成した在庫レコードを在庫管理データベース１４ａに保存する（ステップＳ５１２）。
【００４６】
次いで、倉庫管理装置２０は、空間管理データベース１４ｂの記憶内容にもとづいて、倉庫内の空きスペースを検索し、物品を積載したパレットを格納する位置を決定する（ステップＳ５１３）。格納位置を決めると、倉庫管理装置２０は、パレットの格納指示を行うためのパレット格納指示情報を送信する（ステップＳ５１４）。
【００４７】
無線通信端末３０は、パレット格納指示情報を受信すると、パレット格納指示情報にもとづく指示内容を示す格納指示画面を画面表示部３１に表示する（ステップＳ５１５）。格納指示画面は、例えば図６（Ｃ）に示すように、格納するパレットのパレット名と、パレットの格納位置を示す情報とを表示する表示領域が設けられている。なお、本例では、図６（Ｃ）に示すように、パレットに積載されている物品およびその数量を表示する表示領域も設けられている。
【００４８】
作業者Ｘは、画面表示部３１に表示された格納指示画面に表示された格納指示に従って、フォークリフトを用いて、パレットを指定された所定の区画まで運搬する。この例では、運搬を開始するときに、パレットに付されているバーコードをバーコードリーダ３２で読み取り、携帯通信端末３０を用いて、倉庫管理装置２０に向けて運搬を開始したパレット名を示す運搬開始情報を送信する（ステップＳ５１６）。運搬開始情報を取得すると、倉庫管理装置２０は、運搬開始情報に示されているパレットのパレットレコード６２におけるパレット状態情報を、パレット運搬状態（図４に示す状態▲３▼）に変更する（ステップＳ５１７）。運搬開始情報を送信すると、作業者Ｘは、フォークリフトに乗せたパレットの運搬を開始する。
【００４９】
パレットを乗せたフォークリフトが格納位置まで到達すると、作業者Ｘは、格納場所に設けられているバーコード（本例では、パレットが格納される倉庫内の各区画には、その場所を特定するためのバーコードが示されているバーコードラベルが貼り付けられている。）をバーコードリーダ３２で読み取り、倉庫管理装置２０に向けて格納場所に到達したことを示す到達情報を送信する（ステップＳ５１８）。倉庫管理装置２０は、到達情報を受信すると、到達情報に示されているパレットのパレットレコードにおけるパレット状態情報を、パレット保管状態（図４に示す状態▲４▼）に変更する（ステップＳ５１９）。到達情報を送信すると、作業者Ｘは、フォークリフトに乗せたパレットを下ろし、指定されている格納場所に格納する。上記のような処理が実行され、入荷された全ての物品がパレットに積載され、各パレットが指定された格納場所にそれぞれ格納されると、本例の入庫処理が完了する。
【００５０】
次に、倉庫に格納されている物品を出庫する際に本例の倉庫管理システム１０が実行する出庫処理について図７〜図９を参照して説明する。図７および図８は、本例の倉庫管理システム１０における出庫処理の一例を示すフローチャートである。図９は、本例の倉庫管理システム１０における出庫処理の際に無線通信端末３０の画面表示部３１に表示される表示内容の一例を示す説明図である。
【００５１】
出庫処理において、倉庫管理装置２０は、入出荷情報受付部１１にて出荷予定情報を受け付けると（ステップＳ７０１）、受け付けた出荷予定情報にもとづいて出庫処理部１３にて配車計画情報を作成する（ステップＳ７０２）。配車計画は、出荷依頼を受けた物品を、どの車両を使用してどのルートで目的の配送先まで届けるかを計画することを意味する。配車計画情報は、届け先まで物品を運搬する車両を特定するための車両番号、運搬車両に物品を積載する出庫バースを特定するための出庫バース番号、届け先の場所を示す情報、配送ルートを示す情報、配送する物品やその数量を示す情報を含む。
【００５２】
配車計画情報を作成すると、出庫処理部１３は、作成した配車計画情報を用いるなどして、倉庫内に格納された物品を出庫バースに運搬する際に用いられる出庫情報を作成する（ステップＳ７０３）。出庫情報には、配車計画情報に含まれる情報のうち、運搬車両に物品を積載する出庫バースを特定するための出庫バース番号や、配送する物品（すなわち出庫する物品）やその数量を示す情報などの情報が含まれる。また、出庫情報には、ピッキングリストと、パレット編成データと、車積リストも含まれている。
【００５３】
ピッキングリストは、出荷予定情報に示されている出荷依頼に応じて倉庫内に保管されている物品を図４に示す出庫バースの前室に運搬するために、保管場所から運び出すパレットが特定されたリストである。出庫処理部１３は、在庫レコードを検索することで、出荷依頼のあった物品が積載されているパレットを特定し、特定した各パレットの中から出荷依頼のあった数量以上の数量が確保できるような１または２以上のパレットを図４に示す前室まで運搬するパレットとして選択する。なお、パレットレコードを参照してパレット状態が保管状態（図４に示す状態▲４▼）であるパレット以外のパレットがピッキングリストに含まれないようにパレットを選択する。そして、出庫処理部１３は、選択した各パレットのパレット名を示すピッキングリストを作成する。なお、ピッキングリストに含めるパレットを選択する際には、例えば、入荷日が早い出庫依頼のあった物品を積載しているパレットを優先的に選択したり、出庫依頼のあった物品をより多く積載しているパレットを優先的に選択するなど、各種の条件によって選択の優先度を設けるようにしてもよい。
【００５４】
パレット編成データは、ピッキングしたパレットに積載されている各物品を、図４に示す出庫バースの前室で届け先毎に仕分けする際に、どのパレットに積載されているどの物品をどれだけどの車載パレットに積載するかを示すデータである。パレット編成データは、届け先毎に物品が仕分され積載された車載パレットを、どの出庫バースにどの順序で並べるかについての情報も含まれる。なお、パレット編成を行う際には、届け先まで物品を配送するトラックに積載される車載パレットには空きパレットを割り当てるようにし、保管場所からピッキングしたパレットに積載されている物品を車載パレットに順次積載するようにする。
【００５５】
車積リストは、出庫バースに並べられた車載パレットをどの順序で車に積み込むかを示すリストである。車積リストは、例えば、配送先で取り出しやすいように、最後に届ける物品が積載されているパレットを最初に積み込み、その後配送する順番の逆に積み込んで行き、最初に届ける物品が積載されているパレットを最後に積み込むように作成される。
【００５６】
出庫データを作成すると、倉庫管理装置２０は、送受信部１５およびアンテナ１６を介して、作成した出庫データに含まれるピッキングリストを無線通信端末３０に向けて送信する（ステップＳ７０４）。送信先の無線通信端末３０は、出庫作業を行う者として予め登録されている作業者（以下、作業者Ｙという）が使用する端末である。
【００５７】
無線通信端末３０は、ピッキングリストを受信すると、ピッキングリストにもとづく指示内容を示すピッキング指示画面を画面表示部３１に表示する（ステップＳ７０５）。ピッキング指示画面は、例えば図９（Ａ）に示すように、ピッキングするパレットのパレット名や、そのパレットが格納されている格納位置を示す情報を表示する表示領域を含む。本例では、図９（Ａ）に示すように、ピッキング指示画面に、出荷する各物品の品名や、各物品の出荷数量などを表示する表示領域も設けられている。
【００５８】
作業者Ｙは、画面表示部３１に表示されたピッキング指示画面に表示されたピッキング指示に従って、ピッキングしようとするパレットの格納場所までフォークリフトで出向き、ピッキングしようとするパレットが格納されている区画に付されているバーコードと、ピッキングしようとパレットに付されているバーコードとをバーコードリーダ３２で読み取る出庫パレット確認作業を行う。無線通信端末３０は、バーコードリーダ３２で読み取られたピッキングするパレットに付されているバーコードと、ピッキングするパレットが格納されている区画に付されているバーコードとによって特定される出庫パレット確認情報（注文主に向けて出荷するために倉庫から出庫する物品が積載されているパレットを確認するための情報）を取得する（ステップＳ７０６）。出庫パレット確認情報は、ピッキングするパレットのパレット名と、ピッキングするパレットが格納されている格納場所を示す情報とを含む。
【００５９】
出庫パレット確認情報を取得すると、無線通信端末３０は、取得した出庫パレット確認情報とピッキングリストとを順次照合して、出荷する物品が積載されているパレットとピッキングしようとしているパレットとが一致しているか否かを確認するパレット確認処理を行う（ステップＳ７０７）。パレット確認処理によって、ピッキングしようとしているパレットが、出荷する物品が積載されているパレットであることが確認された場合には、無線通信端末３０は、パレット確認が正常に完了したことを示すパレット確認結果情報を、倉庫管理装置２０に向けて送信する（ステップＳ７０８）。なお、パレット確認処理の結果、ピッキングしようとしているパレットが出荷する物品が積載されているパレットでないことが確認された場合（例えば画面表示部３１にエラー表示が表示された場合）には、作業者Ｙは、出荷する物品が積載されているパレットが格納されている格納場所を再度探索し、上述した出庫パレット確認作業を再度実行するようにすればよい。
【００６０】
倉庫管理装置２０は、パレット確認結果情報を受信すると、パレット確認結果情報に示されるパレットのパレットレコードにおけるパレット状態を運搬状態（図４に示す状態▲５▼）とし、パレット確認結果情報に示される倉庫内の区画の状態が空き状態となるように、空間管理データベース１４ｂに格納されている情報を更新する（ステップＳ７０９）。そして、倉庫管理装置２０は、図４に示す前室へのパレットの運搬を指示するための前室運搬指示情報を送信する（ステップＳ７１０）。
【００６１】
無線通信端末３０は、前室運搬指示情報を受信すると、前室運搬指示情報にもとづく指示内容を示す前室運搬指示画面を画面表示部３１に表示する（ステップＳ７１１）。前室運搬指示画面は、図示はしないが、運搬先である前室内の場所を示す情報などを表示する表示領域を含む。
【００６２】
作業者Ｙは、画面表示部３１に表示された前室運搬指示画面に表示された前室運搬指示に従って、パレットをフォークリフトに乗せて前室まで運搬する。そして、パレットを乗せたフォークリフトが前室の運搬先まで到達すると、作業者Ｙは、パレットに付されているバーコードをバーコードリーダ３２で読み取り、倉庫管理装置２０に向けて前室に到達したことを示す前室到達情報を送信する（ステップＳ７１２）。倉庫管理装置２０は、前室到達情報を受信すると、前室到達情報に示されるパレットのパレットレコードにおけるパレット状態を仕分状態（図４の状態▲６▼）に変更する（ステップＳ７１３）。
【００６３】
倉庫管理装置２０は、出庫する全てのパレットが仕分状態となり前室に置かれていることを確認すると、パレット編成データを無線通信端末３０に向けて送信する（ステップＳ７１４）。
【００６４】
無線通信端末３０は、パレット編成データを受信すると、パレット編成データにもとづくパレット合せ指示画面を画面表示部３１に表示する（ステップＳ７１５）。パレット合せ指示画面は、例えば図９（Ｂ）に示すように、車載パレットのパレット名と、届け先を示す情報と、出庫バースを示す情報と、配送順序を示す情報とが表示される表示領域が設けられている。また、パレット合せ指示画面には、保管場所から運び出されたパレットのパレット名や、そのパレットに積載されている物品およびその数量が表示される表示領域も設けられている。
【００６５】
作業者Ｙは、画面表示部３１に表示されたパレット合せ指示画面に表示されたパレット合せ指示に従って、保管場所から運び出されたパレットに積載されている物品を仕分けして、指定された車載パレットに指定された数量の物品を積載するパレット合せ作業を行う。その作業の都度、保管場所から運び出されたパレットに付されているバーコードと、新たに積載する車載パレットに付されているバーコードと、車載パレットに積載する物品に付されているバーコードとをバーコードリーダ３２で読み取る作業を行う。無線通信端末３０は、バーコードリーダ３２で読み取った各バーコードが示す情報にもとづいて、パレット合せ指示に従った作業が正しく行われたかを確認するパレット合せ確認処理を行う（ステップＳ７１６）。パレット合せ指示に従った作業が正しく行われたことが確認された場合には、無線通信端末３０は、パレット合せ確認情報を倉庫管理装置２０に向けて送信する（ステップＳ７１７）。
【００６６】
倉庫管理装置２０は、パレット合せ確認情報を受信すると、パレット合せ確認情報に示される各パレットのパレットレコードにおけるパレット状態を更新（保管場所から運び出され積載物品が下ろされたパレットは空きパレット状態（図４では示されていない状態であり、未使用状態であることを示す状態）に更新され、物品が積載された車載パレットは仕分け作業状態（図４に示す状態▲６▼）に構成される）するとともに、仕分けされた物品の在庫レコードのパレット名を積載されている車載パレットのパレット名に更新する（ステップＳ７１８）。
【００６７】
また、作業者Ｙは、パレット合せ作業を終えると、無線通信端末３０に接続されているプリンタ３３を用いて出荷関連情報が示された出荷関連情報紙（いわゆる物流カンバンとして用いられる用紙）を印刷する。出荷関連情報紙には、例えば図９（Ｃ）に示すように、車載パレット名と、バーコードと、出庫バース番号と、配送順序と、届け先とが表示されている。作業者Ｙは、仕分けした物品を積載した車載パレットの目立つ位置に、印刷した出荷関連情報紙を貼り付ける。
【００６８】
そして、作業者Ｙは、出荷関連情報紙を貼り付けた車載パレットを、フォークリフトを用いて、出庫バースに向けて運搬する。出庫バースにて車載パレットをフォークリフトから下ろすと、作業者Ｙは、車載パレットに付されているバーコードと出荷関連情報紙に印刷されているバーコードとをバーコードリーダ３２で読み取る作業を行う。無線通信端末３０は、バーコードリーダ３２で読み取った各バーコードが示す情報にもとづいて、車載パレットが指定された出庫バースの場所に運ばれたことを確認し、車載パレットが出庫バースに正しく運搬されたことを示す出庫バース到達情報を倉庫管理装置２０に向けて送信する（ステップＳ７１９）。
【００６９】
倉庫管理装置２０は、出庫バース到達情報を受信すると、出庫バース到達情報に示される車載パレットのパレットレコードにおけるパレット状態を荷揃え状態（図４に示す状態▲７▼）に更新する（ステップＳ７２０）。また、倉庫管理装置２０は、何処まで仕分けが終わっているかを示す情報を管理する。出庫バースに運ばれるべき車載パレットが全て揃うと、倉庫管理装置２０は、車積みリストを無線通信端末３０に向けて送信する（ステップＳ７２１）。
【００７０】
車積みリストを受信すると、無線通信端末３０は、車積みリストにもとづく車積み指示画面を画面表示部３１に表示する（ステップＳ７２２）。車積み指示画面は、例えば図９（Ｄ）に示すように、物品を配送する車両を特定する車両番号と、配送順序を示すと、車載パレットのパレット名と、届け先を示す情報とが表示される表示領域が設けられている。
【００７１】
作業者Ｙは、画面表示部３１に表示された車積み指示画面に表示された車積み指示に従って、出庫バースに並べられている車載パレットを指定された車両に指定された順番に積載する作業を行う。なお、出荷関連情報紙に掲載された情報は、上記の出庫バースへの運搬と、車積みの作業を行う際に参酌される。作業者Ｙは、車載パレットを指定された車両に積載する作業の際に、車載パレットに付されているバーコードをバーコードリーダ３２で読み取る作業を行う。無線通信端末３０は、バーコードリーダ３２で読み取った車載パレットに付されているバーコードが示す情報にもとづいて、車載パレットが指定された車両に正しく積載されたかを確認する積載確認処理を行う（ステップＳ７２３）。車載パレットが指定された車両に正しく積載されたことが確認された場合には、無線通信端末３０は、積載確認情報を倉庫管理装置２０に向けて送信する（ステップＳ７２４）。
【００７２】
倉庫管理装置２０は、積載確認情報を受信すると、積載確認情報に示される車載パレットのパレットレコードにおけるパレット状態をトラック積載状態（図４に示す状態▲８▼）に更新する（ステップＳ７２５）。上述したようにして、本例の倉庫管理システム１０における出庫処理が行われる。
【００７３】
なお、上述した出庫処理において、無線通信端末３０が、ピッキングされて出庫バース前の前室に置かれたパレット群に積載されていた物品総数が、車載パレットに積載するために必要な物品総数よりも多い場合には、前室に置かれたパレット群に積載されていた物品が一部余ることになる。このような場合には、余った物品を積載している各パレットについて、各パレットに積載される物品の再編成を行ったあと、倉庫の所定の格納場所に格納し直す構成とし、倉庫管理の効率化を図るようにすればよい。以下、前室に置かれたパレット群に積載されていた物品総数が、車載パレットに積載するために必要な物品総数よりも多い場合における処理について説明する。
【００７４】
この場合、ステップＳ７１４にて送信されたパレット編成データを受信すると、無線通信端末３０が、パレット編成データにもとづくパレット編成替え画面を画面表示部３１に表示するようにすればよい。パレット編成替え画面は、例えば図９（Ｅ）に示すように、積付パレット（パレット編成替え作業において物品が積載されるパレット）のパレット名と、積付パレットに積載する積載物品およびその数量を示す情報と、積付パレットに積載する積載物品が現在積載されているパレットのパレット名とが表示される表示領域が設けられている。なお、パレット編成替え画面に表示された積付パレットのパレット名と物品が現在積載されているパレットのパレット名とが同一である場合には、移し替える作業が不要であることを意味する。
【００７５】
作業者Ｙは、画面表示部３１に表示されたパレット編成替え画面に表示されたパレット編成替え指示に従って、保管場所から運び出されたパレットに積載されている指定された物品を、指定された積付パレット（保管場所から運び出されたパレットの一部を積付パレットとして用いるようにしても、空きパレットを積付パレットとして用いるようにしてもよい）に移し替えるパレット編成替え作業を行う。その作業の都度、保管場所から運び出されたパレットに付されているバーコードと、物品が移される積付パレットに付されているバーコードと、移し替えられる物品に付されているバーコードとをバーコードリーダ３２で読み取る作業を行う。無線通信端末３０は、バーコードリーダ３２で読み取った各バーコードが示す情報にもとづいて、パレット編成替え指示に従った作業が正しく行われたかを確認するパレット編成替え確認処理を行う。パレット編成替え指示に従った作業が正しく行われたことが確認された場合には、無線通信端末３０は、パレット編成替え確認情報を倉庫管理装置２０に向けて送信する。
【００７６】
そして、倉庫管理装置２０は、パレット編成替え確認情報を受信すると、移し替えられた物品の在庫レコードのパレット名を積載されている積付パレットのパレット名に更新するとともに、積付パレットとして用いられた物品が移しかえられて積載されたパレットが、上述した入庫処理と同様の処理によって倉庫の保管場所に保管されるように無線通信端末３０に対する作業指示などの処理を実行する。また、倉庫管理装置２０は、積付パレットに物品が移し替えられて物品が搭載されていない状態となったパレットのパレットレコードにおけるパレット状態を空きパレット状態に更新する。
【００７７】
以上説明したように、倉庫の保管状態の管理を、個々の物品を管理することで行うのではなく、複数の物品が積載されたパレットの状態を管理することで行う構成としたので、管理点数を大幅に削減することができ、倉庫の管理効率を向上させることができる。特に、倉庫で少品種の物品を多量に管理するような場合には、上記の効果は顕著となる。また、作業者はバーコードの読み取りなどの簡単な作業を行うだけでよいので、作業者に過度の負担を強いるようなことはない。さらに、倉庫内での移動がある度にパレットの状態を更新する構成としたので、パレットに積載されている物品の状態を木目細かく管理することができるようになる。
【００７８】
また、上述した実施の形態では、仕分け場所にて積付パレットに積載物品を移し替えた場合にも、パレットの状態を作業状態に応じた状態とすることができる構成とし、倉庫管理装置２０主導による作業指示によってパレットの編成替えを行うことができるようにしたので、倉庫内のスペースに余裕を持たせることができるようになる。
【００７９】
さらに、上述した実施の形態では、物品の運搬や積載などの作業が実行された場合に、複数の物品が積載されたパレットの状態を更新することで物品の保管状態を管理する構成としたので、倉庫で行われる各種の作業が実行された場合に、効率良く管理状態を更新することができるようになる。
【００８０】
なお、上述した実施の形態では、入庫処理や出庫処理に関する作業が実行されたときに管理状態に関する情報を更新する場合を例に説明したが、パレット毎に状態の管理を行うようにしているので、例えば倉庫内で管理されている物品の配置替えや棚卸チェックなどの作業が実行された場合であっても、管理点数を大幅に削減することができ、倉庫の管理効率を向上させることができる。
【００８１】
また、上述した実施の形態では特に言及していないが、複数種類の物品が積載されたパレットの状態を更新することで物品の保管状態を管理する構成とすることもできるので、１のパレットに複数種類の物品が積載されている場合であっても、各物品の状態をパレットの状態から確認することができる。従って、倉庫内で用いられる各パレットに複数種類の物品を積載することができるようになり、倉庫スペースの効率化を図ることができるとともに、使用されるパレット数を削減することができるようになる。
【００８２】
また、上述した実施の形態では、入庫処理に関する作業を作業者Ｘが実行し、出庫処理に関する作業を作業者Ｙが実行するものとして説明したが、入庫処理に関する作業出庫処理に関する作業は、それぞれ複数の作業者で分担して行うようにしてもよい。
【００８３】
また、上述した実施の形態では特に説明していないが、倉庫管理装置２０が行う各種の処理は、倉庫管理装置２０に格納されているプログラム（倉庫管理プログラム）に従って実行されている。例えば、倉庫管理プログラムは、倉庫に保管される物品の状態を管理するための倉庫管理プログラムであって、コンピュータ（例えば倉庫管理装置２０）に、倉庫に保管される物品を運搬するための作業の内容を示す作業情報を、当該作業を行う作業者が使用する端末装置に向けて送信するステップと、作業情報に従って行われる作業の状態を示す作業状態情報を端末装置から取得するステップと、入庫される物品をパレットに積載する作業の状態を示す作業状態情報にもとづいて、入庫される物品の物品情報と当該物品が積載されるパレットを示すパレット情報とを関連付けた物品状態情報を作成するステップと、物品が積載されたパレットを運搬する作業の状態を示す作業状態情報にもとづいて、物品状態情報に含まれるパレットの保管状態を示すパレット保管状態情報の内容を変更するステップとを実行させる。
【００８４】
また、上述した実施の形態では、倉庫管理装置２０と、無線通信端末３０とが無線通信によって情報のやりとりを行う構成としていたが、有線通信回線を介して情報のやりとりを行う構成とされていてもよい。
【００８５】
【発明の効果】
以上に説明したように、本発明は、物品状態情報には、パレットの状態を示すパレット状態情報が含まれ、物品が積載されたパレットを運搬する作業の状態を示す作業状態情報にもとづいて、パレット状態情報の内容を変更するパレット状態情報変更手段を備えたことを特徴とするので、倉庫の保管状態の管理をパレットの状態によって行うことができ、同一品種、同一入荷日、同一ロット番号などの管理単位で物品を管理することに比べると、管理点数を大幅に削減することができ、倉庫の管理効率を向上させることができる。
【００８８】
パレット状態情報変更手段が、倉庫内に区分けして設けられている所定の保管場所に保管されている物品が積載されたパレットを当該物品を出庫するために移動させる作業を開始したことを示す作業状態情報にもとづいて、パレット状態情報の内容を変更するように構成されているので、パレットを物品を出庫するために移動させる作業を開始した場合であっても、パレットの状態を作業状態に応じた状態とすることができる。このようにパレットの状態を作業状態に応じた状態に更新することで、パレットに積載されている物品の状態を認識することができるので、パレットに積載されている物品の状態を木目細かく管理することができるようになる。
【００８９】
パレット状態情報変更手段が、倉庫内に区分けして設けられている所定の保管場所に保管されている物品が積載されたパレットが当該物品を出庫するための仕分け場所に到達したことを示す作業状態情報にもとづいて、パレット状態情報の内容を変更するように構成されているので、パレットが当該物品を出庫するための仕分け場所に到達した場合であっても、パレットの状態を作業状態に応じた状態とすることができる。このようにパレットの状態を作業状態に応じた状態に更新することで、パレットに積載されている物品の状態を認識することができるので、パレットに積載されている物品の状態を木目細かく管理することができるようになる。
【００９０】
パレット状態情報変更手段が、倉庫内に区分けして設けられている所定の保管場所に保管されているパレットに積載されている物品が出庫用のパレットに移し替えられたことを示す作業状態情報にもとづいて、出庫用のパレットに積載物品を移し替えられたパレットの状態を示すパレット状態情報の内容を変更するように構成されているので、パレットに積載されている物品が出庫用のパレットに移し替えられた場合であっても、パレットの状態を作業状態に応じた状態とすることができる。このようにパレットの状態を作業状態に応じた状態に更新することで、パレットに積載されている物品の状態を認識することができるので、パレットに積載されている物品の状態を木目細かく管理することができるようになる。
【００９１】
パレット状態情報変更手段が、出庫される物品が積載された出庫用のパレットが出庫される物品を配送する車両に積載される出庫場所に到達したことを示す作業状態情報にもとづいて、出庫用のパレットの状態を示すパレット状態情報の内容を変更するように構成されているので、出庫用のパレットが出庫される物品を配送する車両に積載される出庫場所に到達した場合であっても、パレットの状態を作業状態に応じた状態とすることができる。このようにパレットの状態を作業状態に応じた状態に更新することで、パレットに積載されている物品の状態を認識することができるので、パレットに積載されている物品の状態を木目細かく管理することができるようになる。
【００９２】
パレット状態情報変更手段が、倉庫内に区分けして設けられている所定の保管場所に保管されている物品を出庫するための仕分け場所に運搬されたパレットに積載されている物品のうち、出庫されない物品を所定の保管場所に保管するための編成替用のパレットに移し替えられたことを示す作業状態情報にもとづいて、編成替用のパレットに積載物品を移し替えられたパレットの状態を示すパレット状態情報の内容を変更するように構成されているので、仕分け場所にて編成替用のパレットに積載物品が移し替えられた場合であっても、パレットの状態を作業状態に応じた状態とすることができる。このようにパレットの状態を作業状態に応じた状態に更新することで、パレットに積載されている物品の状態を認識することができるので、パレットに積載されている物品の状態を木目細かく管理することができるようになる。
【００９３】
物品情報は、物品の種類を特定する物品特定情報を含み、物品状態情報は、複数種類の物品の物品情報と、複数種類の物品が積載される１のパレットを示すパレット情報とが関連付けされている構成とされているので、１のパレットに複数種類の物品が積載されている場合であっても、各物品の状態をパレットの状態から確認することができる。従って、倉庫内で用いられる各パレットに複数種類の物品を積載することができるようになり、倉庫スペースの効率化を図ることができるとともに、使用されるパレット数を削減することができるようになる。
【００９４】
また、本発明による倉庫管理プログラムは、コンピュータに、物品が積載されたパレットを運搬する作業の状態を示す作業状態情報にもとづいて、物品状態情報に含まれるパレットの状態を示すパレット状態情報の内容を変更するステップを実行させるので、倉庫の保管状態の管理をパレットの状態によって行うことができ、同一品種、同一入荷日、同一ロット番号などの管理単位で物品を管理することに比べると、管理点数を大幅に削減することができ、倉庫の管理効率を向上させることができる。
【図面の簡単な説明】
【図１】  倉庫管理システムの構成例を示すブロック図である。
【図２】  倉庫に保管される物品と物品の運搬などに用いられるパレットの状態を示す説明図である。
【図３】  在庫レコードとパレットレコードとを示す説明図である。
【図４】  物品が倉庫に入荷されてから出荷されるまでのパレットの状態を示す説明図である。
【図５】  倉庫管理システムにおける入庫処理の一例を示すフローチャートである。
【図６】  倉庫管理システムにおける入庫処理の際に無線通信端末の画面表示部に表示される表示内容の一例を示す説明図である。
【図７】  倉庫管理システムにおける出庫処理の一例を示すフローチャートである。
【図８】  倉庫管理システムにおける出庫処理の一例を示すフローチャートである。
【図９】  倉庫管理システムにおける出庫処理の際に無線通信端末の画面表示部に表示される表示内容の一例を示す説明図である。
【符号の説明】
１０  倉庫管理システム
１１  入出荷情報受付部
１２  入庫処理部
１３  出庫処理部
１４  データベース
１５  送受信部
１６  アンテナ
２０  倉庫管理装置
３０  無線通信端末
３１  画面表示部
３２  バーコードリーダ
３３  プリンタ
【図１】
0003705195.tif 000002
【図２】
0003705195.tif 000003
【図３】
0003705195.tif 000004
【図４】
0003705195.tif 000005
【図５】
0003705195.tif 000006
【図６】
0003705195.tif 000007
【図７】
0003705195.tif 000008
【図８】
0003705195.tif 000009
【図９】
0003705195.tif 000010